(57)【特許請求の範囲】
【請求項１】
機体に走行輪及びロータリを回転自在に支持すると共に、これら走行輪及びロータリにエンジンからの回転を伝達し、更に前記ロータリによる耕深を調節する耕深調節部材を設けてなる、農用管理機において、
前記耕深調節部材は、板状の棒部を有し、
前記ロータリの上部を覆うロータリカバーを、板状のブラケットを介して前記機体に支持し、該ブラケットの側面に凹部を有する複数のピンを、前記耕深調節部材の棒部を前後方向で挟むような位置に植設して、これらピンの前記ブラケットの反対側は開放状態にあり、
前記ピンの凹部に前記棒部を左右方向の移動が規制されるように案内して、前記耕深調節部材を上下方向に移動自在に支持することを特徴とする、
農用管理機。
【請求項２】
土中からの抵抗を受ける抵抗棒を設け、前記ブラケットに凹部を有する複数のピンを、前記抵抗棒を前後方向に挟むような位置に植設して、これらピンの前記ブラケットの反対側は開放状態にあり、
前記ピンの凹部に前記抵抗棒を左右方向の移動が規制されるように案内して、前記抵抗棒を、上下方向に移動自在に支持してなる、
請求項１記載の農用管理機。
【請求項３】
前記耕深調節部材及び前記抵抗棒を走行方向に並んで配置し、これら耕深調節部材及び抵抗棒の間の前記ピンが、これら耕深調節部材及び抵抗棒の両方を支持してなる、
請求項２記載の農用管理機。
【請求項４】
前記耕深調節部材の棒部は、後端面に位置固定用の多数の凹部を有し、
前記棒部の後端面を案内する前記ピンが複数個配置され、これらピンの少なくとも１個が、前記棒部の上下調節位置に拘らず、前記後端面における前記凹部が形成されていない部分に必ず当接してなる、
請求項１ないし３のいずれか記載の農用管理機。
【請求項５】
前記耕深調節部材は、前記棒部の下端に固定されたソリ部を有し、
該ソリ部が前記棒部に対して角度の異なる受面を有し、耕深が浅い場合は比較的少ない面積の受面にて、また耕深が深い場合は、比較的大きい面積の受面にて、機体重量を支持してなる、
請求項１ないし４のいずれか記載の農用管理機。
【請求項６】
前記耕深調節部材の棒部が、側面視において前記ロータリの回転軌跡を横切るように配置されてなる、
請求項１記載の農用管理機。
【発明の詳細な説明】
【０００１】
【発明の属する技術分野】
本発明は、機体に走行輪及びロータリを回転自在に支持すると共に、前記ロータリの後部に耕深調節部材及び抵抗棒を設けてなる農用管理機に係り、詳しくは、前記耕深調節部材及び抵抗棒の支持手段及び構造に関する。
【０００２】
【従来の技術】
従来、耕深調節部材及び抵抗棒は、ロータリ本体の後部の、相互にやや離れた位置に、箱状のブラケットに上下移動自在に嵌入支持され、耕深調節部材も一直線の棒の先端に直角にソリ部を設けた構造のものが多く、位置的にも、ロータリ耕耘爪の回転軌跡の後方に設けられたものは、既に知られている。
【０００３】
【発明が解決しようとする課題】
従来既に知られている耕深調節部材及び抵抗棒が、ロータリ本体の後部の箱状のブラケットに上下移動自在に嵌入支持されたものは、耕深調節部材及び抵抗棒と箱状のブラケットとの隙間に泥、草等が詰まり、上下移動を容易に行なうことが困難であった。
【０００４】
前記耕深調節部材及び抵抗棒が進行方向に、相互にやや離れた位置に設けられたものは、耕耘土中で耕深調節部材と抵抗棒の間に泥、草等が巻き付いて詰まり、耕耘抵抗を増大するばかりでなく、その泥、草等の除去が困難であった。
【０００５】
また、耕深調節部材が一直線の棒の先端に直角にソリ部を設けて形成したものでは、耕耘中にロータリ本体が段々沈んで行く傾向になり、安定した耕耘作業が困難であった。
【０００６】
更に、耕深調節部材及び抵抗棒の土中での位置が、ロータリ耕耘爪の回転軌跡の後方にあるものは、耕耘後の表面に耕深調節部材及び抵抗棒の通過軌跡が残り、耕耘後の表面仕上がりが不整であった。
【０００７】
そこで、本発明は、耕深調節部材及び抵抗棒の支持部及び耕耘土中において、泥、草等の詰まり、巻き付きがなく、耕耘中にロータリの沈下もなく安定した状態で耕耘作業ができ、更に耕耘後の表面仕上がりを良くすることを目的とする。
【０００８】
【課題を解決するための手段】
本発明は、上述事情に鑑みなされたものであって、機体（２）に走行輪（３）及びロータリを回転自在に支持すると共に、これら走行輪及びロータリにエンジンからの回転を伝達し、更に前記ロータリによる耕深を調節する耕深調節部材（６）を設けてなる、農用管理機において、
前記耕深調節部材（６）は、板状の棒部（６ｂ）を有し、
前記ロータリ（４）の上部を覆うロータリカバー（８）を、板状のブラケット（９）を介して前記機体に支持し、該ブラケットの側面に凹部（ａ）を有する複数のピン（１０・・・）を、前記耕深調節部材の棒部（６ｂ）を前後方向で挟むような位置に植設して、これらピンの前記ブラケット（９）の反対側は開放状態にあり、
前記ピンの凹部（ａ）に前記棒部（６ｂ）を左右方向の移動が規制されるように案内して、前記耕深調節部材（６）を上下方向に移動自在に支持することを特徴とする。
また、土中からの抵抗を受ける抵抗棒（７）を設け、前記ブラケット（９）に凹部を有する複数のピン（１０・・・）を、前記抵抗棒（７）を前後方向に挟むような位置に植設して、これらピンの前記ブラケット（９）の反対側は開放状態にあり、
前記ピンの凹部（ａ）に前記抵抗棒（７）を左右方向の移動が規制されるように案内して、前記抵抗棒を、上下方向に移動自在に支持する。
前記耕深調節部材（６）及び前記抵抗棒（７）を走行方向に並んで配置し、これら耕深調節部材（６）及び抵抗棒（７）の間の前記ピン（１０ａ）が、これら耕深調節部材（６）及び抵抗棒（７）の両方を支持してなるように構成する。
前記耕深調節部材（６）の棒部（６ｂ）は、後端面に位置固定用の多数の凹部（６ａ）を有し、前記棒部（６ｂ）後端面を案内する前記ピン（１０ｃ，１０ｃ）が複数個配置され、これらピンの少なくとも１個（１０ｃ）が、前記棒部（６ｂ）の上下調節位置に拘らず、前記後端面（６ｄ）における前記凹部（６ａ）が形成されていない部分に必ず当接する。
前記耕深調節部材（６）は、前記棒部（６ｂ）の下端に固定されたソリ部（６ｃ）を有し、該ソリ部（６ｃ）が前記棒部（６ｂ）に対して角度の異なる受面を有し、耕深が浅い場合は比較的少ない面積の受面（Ａ）にて、また耕深が深い場合は、比較的大きい面積の受面（Ｂ）にて、機体重量を支持する。
更に、前記耕深調節部材（６）の棒部（６ｂ）が、側面視において前記ロータリ（４）の回転軌跡を横切るように配置される。
【０００９】
（作用）
上記構造により、前記複数個のピン（１０）により案内支持される耕深調節部材（６）及び抵抗棒（７）を耕深に応じ、耕深調節部材（６）を後端面の１つの凹部（６ａ）の位置に固定し、耕耘作業をすると、耕深が浅い場合は比較的少ない面積の受面（Ａ）にて、また耕深が深い場合は、比較的大きい面積の受面（Ｂ）にて、機体重量が支持され、安定した作業ができると共に、耕深調節部材（６）及び抵抗棒（７）の通過軌跡の後に耕耘された土が被さり、耕耘後の表面仕上がりが良くなる。
【００１０】
なお、上述カッコ内の符号は、図面と対照するものであるが、何ら本発明の構成を限定するものではない。
【００１１】
【発明の実施の形態】
以下、図面に沿って、本発明の実施の形態例について説明する。
【００１２】
図１は、本発明の実施の形態の農用管理機１の側面図で、機体２に走行輪３及びロータリ４を回転自在に支持すると共に、これら走行輪３及びロータリ４にエンジン５からの回転を伝達し、更に前記ロータリ４の後部にロータリ４による耕深を調節する尾ソリ６及び土中からの抵抗を受ける抵抗棒７が設けられている。
【００１３】
前記ロータリ４の上部を覆うロータリカバー８を、図２に示すように、板状のブラケット９を介して前記機体２に支持し、該ブラケット９に、凹部ａを有する複数のピン１０…を植設し、これらピン１０…により、図２及び図３に示すように、前記尾ソリ６及び抵抗棒７を上下方向に移動自在に案内支持している。即ち、上記ピン１０・・・は、尾ソリの棒部６ｂ及び抵抗棒７を前後方向に挟むように左右方向一方から植設され、かつこれらピンの凹部ａに上記棒部６及び抵抗棒が左右方向の移動が規制されるように案内される。従って、上記ピン１０・・・の左右方向一方側（ブラケット９の反対側）は、開放状態にある。
【００１４】
即ち、前記尾ソリ６及び抵抗棒７を走行方向に並んで配置し、これら尾ソリ６及び抵抗棒７の間の前記ピン１０ａが、これら尾ソリ６及び抵抗棒７の両方を案内支持するように構成されている。
【００１５】
前記尾ソリ６は、図４に示すように、後端面に位置固定用の多数の凹部６ａを有する棒部６ｂと、該棒部６ｂの下端に固定されたソリ部６ｃを有し、ソリ部６ｃが前記棒部６ｂに対して角度の異なる受面を有し、耕深が浅い場合は比較的少ない面積の受面Ａにて、また耕深が深い場合は、比較的大きい面積の受面Ｂにて、機体重量を支持してなるように形成されている。ソリ部６ｃの形状を図６（ａ）（ｂ）のように、側面図で連続した一つのＲに形成することも可能である。
【００１６】
前記棒部６ｂの後端面６ｄを案内する前記ピン１０ｃ，１０ｃが複数個配置されているが、最後列の上部ピン１５だけは、図２及び図７に示すように、スプリング１２によって前方に付勢されて１個の前記凹部６ａに係合し、尾ソリ６の上下方向の位置決めしている。この場合、前記棒部６ｂの上下調節位置に拘らず、最後列の下部ピン１０ｃ，１０ｃの一方は、別の凹部６ａに入れず、必ず前記棒部６ｂの後端面６ｄに当接するような関係位置に、植設されている。即ち、最後列下部ピン１０ｃの一方が棒部６ｂの凹部６ａに対向する位置になっても、他の下部ピン１０ｃは、棒部６ｂの後端面６ｄに当接しており、棒部６ｂは、上記中間のピン１０ａと下部ピン１０ｃのいずれか一方により上下方向移動自在に案内される。
【００１７】
更に、前記尾ソリ６は、前記抵抗棒７と共に、該棒部６ｂ及び棒部７ｂが、図２に示すように、側面視において前記ロータリ４の耕耘爪１３の回転軌跡を横切るように配置されている。
【００１８】
次に本実施の形態例の作用について説明する。
【００１９】
上記構造に基づき、前記複数個のピン１０により案内支持される尾ソリ６及び抵抗棒７を耕深に応じ、上部ピン１５を付勢しているスプリング１２の付勢力に抗して、尾ソリ６を後端面の１つの凹部６ａの位置に固定し、耕耘作業をすると、耕深が浅い場合は比較的少ない面積の受面Ａにて、また耕深が深い場合は、比較的大きい面積の受面Ｂにて、機体重量が支持され、安定した作業ができると共に、尾ソリ６及び抵抗棒７の通過軌跡の後に耕耘された土が被さり、耕耘後の表面仕上がりが良くなる。
【００２０】
【発明の効果】
本発明は、請求項１では、機体に走行輪及びロータリを回転自在に支持すると共に、これら走行輪及びロータリにエンジンからの回転を伝達し、更に前記ロータリによる耕深を調節する耕深調節部材を設けてなる、農用管理機において、前記ロータリの上部を覆うロータリカバーを、ブラケットを介して前記機体に支持し、該ブラケットに凹部を有する複数のピンを植設し、これらピンにより前記耕深調節部材を上下方向に移動自在に案内支持することとしたので、前記耕深調節部材の支持部の片側が開放され、該支持部に泥、草等の詰まりがなくなると共に、泥、草等が詰まった場合でも、簡単に除去することができる。
【００２１】
請求項２では、土中からの抵抗を受ける抵抗棒を設け、該抵抗棒を、前記ブラケットに植設された凹部を有する複数のピンにより上下方向に移動自在に案内支持してなるように構成したので、前記抵抗棒の支持部の片側が開放され、該支持部に泥、草等の詰まりをなくすことができる。
【００２２】
請求項３では、前記耕深調節部材及び前記抵抗棒を走行方向に並んで配置し、これら耕深調節部材及び抵抗棒の間の前記ピンが、これら耕深調節部材及び抵抗棒の両方を案内支持してなるように構成したので、耕耘土中において耕深調節部材及び抵抗棒の間に泥、草等の詰まりがなくなり、上下方向に移動操作も容易に行うことができる。
【００２３】
請求項４では、前記耕深調節部材の棒部は、後端面に位置固定用の多数の凹部を有し、前記棒部の後端面を案内する前記ピンが複数個配置され、これらピンの少なくとも１個が、前記棒部の上下調節位置に拘らず、前記後端面における前記凹部が形成されていない部分に必ず当接してなるように構成したので、複数のピンが同時に前記凹部に入ることなく、ソリ部の地面との接地ポイントを容易に変えることができる。
【００２４】
請求項５では、前記耕深調節部材は、前記複数個のピンにより案内支持される棒部と、該棒部の下端に固定されたソリ部を有し、該ソリ部が前記棒部に対して角度の異なる受面を有し、耕深が浅い場合は比較的少ない面積の受面にて、また耕深が深い場合は、比較的大きい面積の受面にて、機体重量を支持してなるように構成したので、耕深に応じた土からの浮力を受け、ソリ部の重量を軽減すると共に、ロータリの沈みを防止することができる。
【００２５】
請求項６では、前記耕深調節部材は、前記複数個のピンにより案内支持される棒部を有し、該棒部が、側面視において前記ロータリの回転軌跡を横切るように配置されてなるように構成したので、耕耘土中の前記耕深調節部材の軌跡が消え、耕耘した跡に残溝が出なくなり、耕耘後の表面仕上りが良くなった。
【図面の簡単な説明】
【図１】本発明の実施の形態の農用管理機の側面図である。
【図２】本発明の実施の形態のロータリの側面図である。
【図３】尾ソリ及び抵抗棒の支持部の後面図である。
【図４】尾ソリの側面図である。
【図５】ソリ部の平面図である。
【図６】（ａ）は別案のソリ部の平面図、（ｂ）はその側面図である。
【図７】尾ソリの位置固定部の側面図である。
【符号の説明】
１        農用管理機
３        走行輪
４        ロータリ
５        エンジン
６        尾ソリ
７        抵抗棒
９        ブラケット
１０      ピン
【図１】
0003623389.tif 000002
【図２】
0003623389.tif 000003
【図３】
0003623389.tif 000004
【図４】
0003623389.tif 000005
【図５】
0003623389.tif 000006
【図６】
0003623389.tif 000007
【図７】
0003623389.tif 000008